(57)【要約】【課題】内枠の外枠に対する施錠を良好に確保することができるパチンコ機を提供する。【解決手段】外枠及び内枠３からなる機枠本体の上側、下側部分に上側、下側ロック部２０ａ，２０ｂがそれぞれ設けられるパチンコ機１Ａにおいて、上側、下側ロック部２０ａ，２０ｂをそれぞれ覆うように上側、下側ガード部材３０ａ，３０ｂを設けた。上側、下側ロック部２０ａ，２０ｂがロックされた状態で、仮にパチンコ機１Ａの上方に設けられる点検窓から手、針金又は棒などを挿入して上側鍵１６ａ又は下側鍵１６ｂを回動させようとしても、手、針金又は棒などは上側、下側ガード部材３０ａ，３０ｂに遮られる。このため、上側鍵１６ａ又は下側鍵１６ｂは回動されないので、上側、下側ロック部２０ａ，２０ｂのロックは維持され、不正操作の発生を防止できる。【選択図】　　　　図１
2004141307.tif 000002
【特許請求の範囲】
【請求項１】
外枠と、該外枠に対して左右方向に開閉するように回動可能に支持される内枠と、からなる機枠本体を有し、該機枠本体の上側、下側部分にそれぞれ、前記内枠を閉状態で施錠するロック部を備えたパチンコ機において、前記両ロック部をそれぞれ覆うようにガード部材を設けたことを特徴とするパチンコ機。
【発明の詳細な説明】
【０００１】
【発明の属する技術分野】
本発明は、パチンコ機に係り、特に内枠の不適正な解錠を抑制するパチンコ機に関する。
【０００２】
【従来の技術】
従来のパチンコ機の一例として、図３及び図４に示すものがある（特許文献１参照）。図３及び図４において、パチンコ機１は、外枠２と、この外枠２に対して左右方向に開閉するように回動可能に支持される内枠３と、からなる機枠本体４を有している。外枠２は、上タンク５を装着する上板部６と、上板部６に対向して設けられる底板部７と、上板部６及び底板部７を連結する左側、右側（遊技者から見て左側、右側）板部８，９と、から大略構成されている。内枠３は略矩形の窓部１０を有し、この窓部１０に図示しない遊技盤を装着するようにしている。内枠３における窓部１０より左側（遊技者から見て左側。図３では右側）の部分（以下、内枠左側部分という。）１１と、外枠２の左側板部８とは図示しないヒンジ機構で連結されている。内枠３はこのヒンジ機構を介して、上述したように外枠２に対して左右方向に開閉するようになっている。なお、内枠３における窓部１０より右側（遊技者から見て右側。図３では左側）の部分を以下、内枠右側部分１２という。
【０００３】
機枠本体４には、内枠３が外枠２に対して閉じられた際、この閉状態が維持されるように、ロック機構１３が設けられている。ロック機構１３は、外枠２の右側板部９における上側、下側部分にそれぞれ、左側板部８に向けて突出して設けられた上側、下側鍵受け部１４ａ，１４ｂと、内枠右側部分１２に上側、下側鍵用支持軸１５ａ，１５ｂを介してそれぞれ回動可能に支持された上側、下側鍵１６ａ，１６ｂと、上側、下側連動用軸１８ａ，１８ｂを介して上側、下側鍵１６ａ，１６ｂを連動可能に連結する連動用板材１９とから、大略構成されている。
【０００４】
上側鍵１６ａ及び上側鍵受け部１４ａと、下側鍵１６ｂ及び下側鍵受け部１４ｂとがそれぞれロック部を構成し、前記内枠３を閉状態で施錠するようにしている。以下、上側鍵１６ａ及び上側鍵受け部１４ａからなるロック部を上側ロック部２０ａといい、下側鍵１６ｂ及び下側鍵受け部１４ｂからなるロック部を下側ロック部２０ｂという。ロック部を上下２つ設ける（すなわち、上側、下側ロック部２０ａ，２０ｂを設ける）ことにより、密閉性を高めるようにしている。
上側鍵１６ａは、途中に前記上側鍵用支持軸１５ａが挿入される長手状の鍵本体部２１ａと、鍵本体部２１ａの一端側から屈曲して延設された係止部２２ａと、からなり、鍵本体部２１ａの他端部側に前記上側連動用軸１８ａを挿入するようにしている。
また、下側鍵１６ｂは、上側鍵１６ａと同様に、鍵本体部２１ｂ及び係止部２２ｂからなり、鍵本体部２１ｂの他端部側に下連動用軸１８ｂを挿入するようにしている。
【０００５】
また、機枠本体４の前面側には、図示しないキー操作部が設けられている。このキー操作部にキーを挿入して回動することにより、連動用板材１９が上下動する。そして、連動用板材１９が上下動することにより上側、下側鍵１６ａ，１６ｂが共に回動し、上側、下側鍵受け部１４ａ，１４ｂに対する係合、離脱が連動して行われるようになっている。
【０００６】
すなわち、内枠３が閉じられた状態で上側、下側鍵１６ａ，１６ｂが上側、下側鍵受け部１４ａ，１４ｂに対面し、この対面した状態で、鍵本体部２１ａ，２１ｂが、後述する水平方向に対して傾斜した状態から図４に示すように水平とされることにより係止部２２ａ，２２ｂが上側、下側鍵受け部１４ａ，１４ｂに係合し、上側、下側ロック部２０ａ，２０ｂは施錠された状態になる。
また、上記施錠された状態で連動用板材１９が上方向に変位されると鍵本体部２１ａ，２１ｂは、下側鍵用支持軸１５ａ，１５ｂを中心にして図４時計方向に回動し水平方向に対して傾斜した状態となって係止部２２ａ，２２ｂが上側、下側鍵受け部１４ａ，１４ｂから離れ、上側、下側ロック部２０ａ，２０ｂは錠が外された（以下、錠が外されることを、便宜上、解錠という。）状態になる。そして、この解錠状態で、内枠３を手前（図３紙面向こう側）に引くと内枠３は回動して、外枠２に対して図３に示すように開いた状態になる。
【０００７】
【特許文献１】
特開平１１−１２８５０７号公報
【０００８】
【発明が解決しようとする課題】
ところで、上述したパチンコ機１は例えば図５に示すようにホールの島２５に設置して用いられる。この場合、島２５の上部に設けられるパチンコ球補給用の樋２６が詰まったり、樋２６に異物が混入したようなトラブルに対処し得るように、島２５の上部には開閉自在の幕板２７を備えた点検窓２８を設けているのが一般的である。そして、前記トラブル発生時に、ホールの店員は幕板２７を開けて、樋２６中のパチンコ球を押して上タンク５への補給を適正に行わせたり、異物を取り除いたりしてトラブルを解消するようにしている。
【０００９】
しかしながら、上述したパチンコ機１では、点検窓２８から手、針金又は棒などを挿入して、上側鍵１６ａが図４時計方向に回動されて上側ロック部２０ａが解錠されると、上側鍵１６ａの図４時計方向の回動に伴う連動用板材１９の上方向の変位により、下側鍵１６ｂが上側鍵１６ａに連動して図４時計方向に回動され、下側ロック部２０ｂも解錠される。このため、ロック機構１３のロックが解除されてしまい不正操作をされる虞がある。
【００１０】
なお、このような問題点に対処するために、上側鍵１６ａと下側鍵１６ｂとが独立して回動するように構成することが考えられる。しかし、この場合には、針金や棒などをさらに下方に延ばして、下側鍵１６ｂを上側鍵１６ａと共に解錠することにより、上述したのと同様にロック機構１３（上側ロック部２０ａ及び下側ロック部２０ｂ）のロックが解除されてしまい不正操作をされる虞がある。このため、上記問題点を適切には改善し得ないというのが実情である。
【００１１】
本発明は、上記事情に鑑みてなされたもので、内枠の外枠に対する施錠を良好に確保することができるパチンコ機を提供することを目的とする。
【００１２】
【課題を解決するための手段】
請求項１記載の発明は、外枠と、該外枠に対して左右方向に開閉するように回動可能に支持される内枠と、からなる機枠本体を有し、該機枠本体の上側、下側部分にそれぞれ、前記内枠を閉状態で施錠するロック部を備えたパチンコ機において、前記両ロック部をそれぞれ覆うようにガード部材を設けたことを特徴とする。
【００１３】
【発明の実施の形態】
本発明の一実施の形態に係るパチンコ機１Ａを図１及び図２に基づき、図３ないし図５を参照して説明する。なお、図３ないし図５に示す部材と同等の部材は同一の符号で示し、その説明は適宜省略する。
図１及び図２において、外枠２の右側板部９に設けた上側鍵受け部１４ａ及び下側鍵受け部１４ｂをそれぞれ個別に覆うように略直方体箱状の樹脂製のガード部材が設けられている。以下、上側鍵受け部１４ａに対応するガード部材を上側ガード部材３０ａ、下側鍵受け部１４ｂに対応するガード部材を下側ガード部材３０ｂという。
なお、上側ロック部２０ａ及び下側ロック部２０ｂは、同等に構成されており、図２では便宜上、上側ロック部２０ａを示す符号に並べてかっこを設け、かっこ内に下側ロック部２０ｂを示す符号を付している。また、上側ロック部２０ａ及び下側ロック部２０ｂにそれぞれ対応して同等に構成される部材（上側、下側鍵１６ａ，１６ｂ、上側、下側鍵用支持軸１５ａ，１５ｂ等）についても、上側ロック部２０ａ及び下側ロック部２０ｂの場合と同様に表示している。
【００１４】
上側ガード部材３０ａは、後述するように相互に連接されて全体として略直方体箱状をなす矩形の第１〜第４面部３１ａ〜３４ａから構成されている。第１面部３１ａは、外枠２の右側板部９における上側鍵受け部１４ａの上側部分に垂設されている。第２面部３２ａは、第１面部３１ａに屈曲して連接され右側板部９と平行に配置される。第３面部３３ａは、第１、第２面部３１ａ，３１ｂに屈曲して連接され、かつ右側板部９における上側鍵受け部１４ａより裏面側（図２紙面手前側）部分に垂設される。第４面部３４ａは、右側板部９における上側鍵受け部１４ａの下側部分に第１面部３１ａと平行に垂設され、第２面部３２ａ及び第３面部３３ａに屈曲して連接されている。上側ガード部材３０ａの第３面部３３ａと対向する部分（図２紙面向こう側の部分）は開口されており、上側鍵１６ａの移動（挿入及び回動）を行えるようにしている。
下側ガード部材３０ｂも、上側ガード部材３０ａと同様に、第１〜第４面部３１ｂ〜３４ｂを備えている。
【００１５】
このように構成されたパチンコ機１Ａでは、内枠３が閉じられた状態で上側、下側鍵１６ａ，１６ｂが上側、下側鍵受け部１４ａ，１４ｂに対面し、このように上側、下側鍵受け部１４ａ，１４ｂに対面した状態で各鍵本体部２１ａ，２１ｂが図１及び図２に示すように水平とされることにより係止部２２ａ，２２ｂが上側、下側鍵受け部１４ａ，１４ｂに係合する。そして、上述した係止部２２ａ，２２ｂの上側、下側鍵受け部１４ａ，１４ｂへの係合により、上側、下側ロック部２０ａ，２０ｂは施錠（ロック）された状態になる。
【００１６】
一方、上記施錠された状態で、ホールの店員が図示しないキー操作部にキーを挿入して回動することにより、連動用板材１９が上方向に移動する。このように連動用板材１９が上方向に移動することにより、上側、下側鍵１６ａ，１６ｂが上側、下側鍵用支持軸１５ａ，１５ｂを中心にして回動し、係止部２２ａ，２２ｂが上側、下側鍵受け部１４ａ，１４ｂから離脱する。そして、この状態で内枠３を手前（図３紙面向こう側）に引くと内枠３は図示しないヒンジ機構を中心にして回動して、外枠２に対して開いた状態になる。
【００１７】
また、上述したように上側、下側ロック部２０ａ，２０ｂがロックされた状態で、仮に不心得者がロック機構１３のロック解除を謀り、点検窓２８（図４参照）から手、針金又は棒などを挿入し上側鍵１６ａ又は下側鍵１６ｂを回動させようとしても、手、針金又は棒などは上側、下側ガード部材３０ａ，３０ｂに遮られる。このため、上述したように挿入される手、針金又は棒などによって上側鍵１６ａ及び下側鍵１６ｂは回動されることがないので、ロック機構１３（上側、下側ロック部２０ａ，２０ｂ）のロックは維持されて、不正操作の発生を防止することができる。すなわち、本パチンコ機１Ａによれば、上側、下側ガード部材３０ａ，３０ｂが上側、下側ロック部２０ａ，２０ｂを覆うので、内枠３の外枠２に対する施錠を良好に確保することができ、ひいては不正操作の発生を防止できる。
【００１８】
上記実施の形態では、ガード部材（上側ガード部材３０ａ及び下側ガード部材３０ｂ）が樹脂製である場合を例にしたが、金属製など他の素材で構成してもよい。
また、上記実施の形態では、ガード部材（上側ガード部材３０ａ及び下側ガード部材３０ｂ）を外枠２に設けた場合を例にしたが、これに代えてガード部材（上側ガード部材３０ａ及び下側ガード部材３０ｂ）を内枠３に設けるようにしてもよい。
【００１９】
上記実施の形態では、上側鍵１６ａと下側鍵１６ｂとが、連動用板材１９を介して連動する場合を例にしたが、これに代えて、上側鍵１６ａ及び下側鍵１６ｂが非連動となる（独立して回動する）ように構成されたパチンコ機に対して上側、下側ロック部２０ａ，２０ｂを覆うように上側、下側ガード部材３０ａ，３０ｂを設けてもよい。この場合も、上側、下側ガード部材３０ａ，３０ｂが上側、下側ロック部２０ａ，２０ｂを覆うので、上記実施の形態と同様に内枠３の外枠２に対する施錠を良好に確保することができ、ひいては不正操作の発生を防止できる。
なお、ロック機構１３は、上側、下側ロック部２０ａ，２０ｂが共に解錠されなければ、ロックが解除されないので、上述したように上側鍵１６ａ及び下側鍵１６ｂが非連動である（独立して回動する）パチンコ機に対しては、上側、下側ロック部２０ａ，２０ｂのうちいずれか一方にガード部材を設けるようにしてもよい。
【００２０】
上記実施の形態では、ガード部材（上側ガード部材３０ａ及び下側ガード部材３０ｂ）が略直方体箱状である場合を例にしたが、これに代えて上側鍵１６ａ（下側鍵１６ｂ）の移動（挿入及び回動）を行える空間を確保して、略球状などの他の形状に構成してもよい。
また、上記実施の形態では、ガード部材を上下２つ設け、その２つのガード部材（上側ガード部材３０ａ及び下側ガード部材３０ｂ）を、同等形状としたが、これに限らず異なる形状としてもよい。
【００２１】
【発明の効果】
請求項１記載の発明によれば、機枠本体の上側、下側部分にそれぞれ、内枠を閉状態で施錠するロック部を備え、前記両ロック部をそれぞれ覆うようにガード部材を設けたので、パチンコ機上の空間部から針金又は棒などを挿入して、ロック部を操作しようとしても、針金又は棒などはガード部材に遮られて、ロック部に当接することができない。このため、不正操作の発生を防止することができる。
【図面の簡単な説明】
【図１】本発明の一実施の形態に係るパチンコ機を模式的に示す断面図である。
【図２】図１のロック部を模式的に示す斜視図である。
【図３】従来のパチンコ機の一例を模式的に示す斜視図である。
【図４】図３のパチンコ機を模式的に示す断面図である。
【図５】図３のパチンコ機の問題点を説明するための模式的な断面図である。
【符号の説明】
１Ａ　パチンコ機
２　　外枠
３　　内枠
４　　機枠本体
２０ａ，２０ｂ　上側、下側ロック部
３０ａ，３０ｂ　上側、下側ガード部材
【図１】
2004141307.tif 000003
【図２】
2004141307.tif 000004
【図３】
2004141307.tif 000005
【図４】
2004141307.tif 000006
【図５】
2004141307.tif 000007